(57)【要約】
　　【課題】
　昨今の文具は多様化しており、夫々工夫を凝らした文具類が商店等には陳列されており、更に、キャラクターを一部に備えた文具類も多数販売されているが、あまり代わり映えしなく、マンネリ化しており、今や斬新性は無いものである。
　　【解決手段】
　本考案は、基端をノックして先端から筆記具の芯を出没させるボールペン、シャープペン等の筆記手段１と、筆記手段の基端側に固定したノック部外装体２と、筆記手段の先端側に固定した筆記部外装体３とを備え、筆記部外装体はノック部外装体をノックすることにより下方に筆記手段の芯１ａを出没させるように固定し、筆記部外装体の内側下方には起き上がりこぼし用の錘４を内装すると共に、少なくとも筆記部外装体３の外周下面を半球面状又は半円弧面状に形成したものである。
　　【選択図】
　 図１
0003099463.tif 000002
【実用新案登録請求の範囲】
【請求項１】
　基端をノックして先端から筆記具の芯を出没させるボールペン、シャープペン等の筆記手段と、該筆記手段の基端側に固定したノック部外装体と、前記筆記手段の先端側に固定した筆記部外装体とを備え、前記筆記部外装体は前記ノック部外装体をノックすることにより下方に前記筆記手段の芯を出没させるように固定し、前記筆記部外装体の内側下方には起き上がりこぼし用の錘を内装すると共に、少なくとも前記筆記部外装体の外周下面を半球面状又は半円弧面状に形成したことを特徴とする起き上がりこぼし型筆記具。
【考案の詳細な説明】
【技術分野】
【０００１】
　本考案は、起き上がりこぼし型の筆記具で且つ外装にキャラクターを備えた起き上がりこぼし型筆記具に関するものであり、更に詳細には、基端をノックして先端から筆記具の芯を出没させる筆記手段にノック部外装体と筆記部外装体とを夫々固定して、筆記具の外装にキャラクターをデザインすることができると共に、そのキャラクターを平面上に斜めに置くとユラユラ揺れて立つ起き上がりこぼしと成っている筆記具に関するものである。
【背景技術】
【０００２】
　従来、この種の起き上がりこぼし型筆記具は、各種考案され開示されており、例えば、玩具状に形成した筆記具本体と、この筆記具本体に着脱自在と成るように開口されて凹状部を形成したキャップとを具備し、筆記具本体の下方には芯先を表出しつつ筆記機能を有するボールペン等を配設したとともに、キャップの先端部分には筆記具本体にキャップが装着された状態で、この筆記具全体が自動的に縦状、垂直状に起立可能となるような重りを内装したもの（特許文献１参照）や、レフイールを収容した軽量の軸筒の後端に、尾端面が半球面状をした重量の大きな尾栓が取り付けられ、筆記具全体の重心の位置が尾端面の近傍にあって、筆記具を傾けて机などの平面上に置いたときに、重心は尾栓と平面の接触面における垂線よりも常に尾端面の中心側に位置するもの（特許文献２参照）や、筆記軸の上端部に筆記部を出没操作するノック部材を備えたノック式筆記具において、ノック部材を半球状の独楽本体と筆記軸を挿入して保持し且つ独楽本体を回転操作する際の軸部材となる筒状軸とによって形成したもの（特許文献３参照）が開示されている。
【特許文献１】登録実用新案第３０１２９１２号公報
【特許文献２】実開平４ー２２２８９号公報
【特許文献３】登録実用新案第３０７００３０号公報
【考案の開示】
【考案が解決しようとする課題】
【０００３】
　然し乍ら、昨今の文具は多様化しており、夫々工夫を凝らした文具類が商店等には陳列されており、更に、キャラクターを一部に備えた文具類も多数販売されているが、あまり代わり映えしなく、マンネリ化しており、前述の玩具状に形成した筆記具本体と、この筆記具本体に着脱自在と成るように開口されて凹状部を形成したキャップとを具備し、筆記具本体の下方には芯先を表出しつつ筆記機能を有するボールペン等を配設したとともに、キャップの先端部分には筆記具本体にキャップが装着された状態で、この筆記具全体が自動的に縦状、垂直状に起立可能となるような重りを内装したものでは、起き上がりこぼしになるもののキャラクターを形成するのは玩具状に形成した筆記具本体であり、筆記具本体の先端に突設させた筆記部に、重りを内装したキャップを装着するもので、今や斬新性は無いものである。
【０００４】
　更に、レフイールを収容した軽量の軸筒の後端に、尾端面が半球面状をした重量の大きな尾栓が取り付けられ、筆記具全体の重心の位置が尾端面の近傍にあって、筆記具を傾けて机などの平面上に置いたときに、重心は尾栓と平面の接触面における垂線よりも常に尾端面の中心側に位置するものでは、起き上がりこぼしの機能は有しているもののキャラクター等の装飾を施すには筆記具を載置する方向と筆記具を持って筆記する方向が逆となり不向きのものである。
【０００５】
　更には、筆記軸の上端部に筆記部を出没操作するノック部材を備えたノック式筆記具において、ノック部材を半球状の独楽本体と筆記軸を挿入して保持し且つ独楽本体を回転操作する際の軸部材となる筒状軸とによって形成したものでは、ノック部材が半球状の独楽本体としているもので、キャラクター等の装飾を施したり起き上がりこぼしの機能を付加させることは不可能なものである。
【課題を解決するための手段】
【０００６】
　本考案は、前述の課題に鑑み、鋭意研鑽の結果、基端をノックして先端から筆記具の芯を出没させる筆記手段と、筆記手段の基端側に固定したノック部外装体と、筆記手段の先端側に固定した筆記部外装体とを備え、筆記部外装体はノック部外装体をノックすることにより下方に筆記手段の芯を出没させるように固定し、筆記部外装体の内側下方には起き上がりこぼし用の錘を内装すると共に、筆記部外装体の外周下面を半球面状又は半円弧面状に形成したものである。
【考案の効果】
【０００７】
　本考案の起き上がりこぼし型筆記具は、前述の構成により、ノック部外装体と筆記部外装体とを備えていることから筆記具の外装体に斬新なアイディアのキャラクターを形成でき、筆記はノック部外装体をノックすることで筆記部外装体の下方から筆記手段の芯を突出させることで行い、筆記しないときはキャラクターが形成された起き上がりこぼしとして机の上等の平面上に載置するとユラユラと揺れて立つものでユニークな筆記具であり、画期的で人目を引くものとなり、実用性の高い考案である。
【考案を実施するための最良の形態】
【０００８】
　本考案は、起き上がりこぼし型の筆記具で且つ外装にキャラクターを備えた起き上がりこぼし型筆記具に関するものであり、更に詳細には、基端をノックして先端から筆記具の芯を出没させる筆記手段１にノック部外装体２と筆記部外装体３とを夫々固定して、筆記具の外装にキャラクターをデザインすることができると共に、そのキャラクターを平面上に斜めに置くとユラユラ揺れて立つ起き上がりこぼしと成っている筆記具に関するものであり、基端をノックして先端から筆記具の芯を出没させるボールペン、シャープペン等の筆記手段１と、該筆記手段１の基端側に固定したノック部外装体２と、前記筆記手段１の先端側に固定した筆記部外装体３とを備え、前記筆記部外装体３は前記ノック部外装体２をノックすることにより下方に前記筆記手段１の芯１ａを出没させるように固定し、前記筆記部外装体３の内側下方には起き上がりこぼし用の錘４を内装すると共に、少なくとも前記筆記部外装体３の外周下面を半球面状又は半円弧面状に形成したものである。
【実施例】
【０００９】
　以下、本考案の起き上がりこぼし型筆記具の実施例の図面によって具体的に説明すると、図１は本考案の起き上がりこぼし型筆記具の実施例のシャープペンの芯を埋没させた状態の説明図であり、図２は本考案の起き上がりこぼし型筆記具の実施例のシャープペンの芯を突出させた状態の説明図であり、図３は本考案の起き上がりこぼし型筆記具の次実施例の説明図である。
【００１０】
　即ち、本考案の起き上がりこぼし型筆記具の筆記手段１はボールペン、シャープペン等の基端をノックして先端から筆記具の芯１ａを出没させるタイプの汎用されているもので、長手方向の基端側に筒状の収容管１ｂを備え基端をノックすることで、先端側に備えたスライドパイプ１ｄの先端から芯１ａが突出して筆記可能な状態となり、もう一度基端をノックすることで芯１ａが埋没状態となるものである。
【００１１】
　つまり、図示する実施例はシャープペンであり基端側に収容管１ｂを備え、該収容管１ｂは基端を突出させてメカスリーブ１ｃに摺動自在に挿通させ、メカスリーブ１ｃには芯１ａを先端に備えたスライドパイプ１ｄから突出させるためのコイルスプリング等のメカ機構１ｅが内装されているものである。
【００１２】
　そして、ノック部外装体２は図１乃至図２に図示する実施例では、外装は動物キャラクターの頭としているもので、耳や鼻を突出させたり、目や口を穿設したりして、自由にデザインや着色を施せるものであり、球体状、楕円球体状、立方体状、垂状のもの等任意の形状のもので、内部は軽量化のため空洞としているものであり、内部の頂部には前記筆記手段１の基端側に固定するための筒状のノック部外装体ホルダー２ａを垂設しており、該ノック部外装体ホルダー２ａに筆記手段１の基端側のノックして芯１ａを出没させる収容管１ｂを挿通させているものである。
【００１３】
　次に、筆記部外装体３はノック部外装体２と対を成すもので、実施例の場合、ノック部外装体２が動物キャラクターの頭であれば、筆記部外装体３はその動物キャラクターの胴体としているもので、対として一つのキャラクター、マスコット等を表現するものである。
【００１４】
　更に、筆記部外装体３の下方には筆記手段１の芯１ａを出没させる孔を穿設すると共に、該孔の外周には円筒状の筆記手段１の先端側に固定する筆記部外装体ホルダー３ａを立設しているものである。
【００１５】
　更には、筆記部外装体３の内側下方の筆記手段１の先端を挿通させた筆記部外装体ホルダー３ａの周囲には起き上がりこぼし用の錘４を内装しているものであり、金属又はセメント等の比重の大きい物質を内装して起き上がりこぼし型筆記具の重心を少なくとも筆記部外装体３の中心より下方に位置させるものである。
【００１６】
　次いで、少なくとも筆記部外装体３の外周下面は半球面状に形成しているもので、実施例では筆記部外装体３の上方は組立等を容易にするためにテーパーカバー３ｂとしており、図１に図示する如く、筆記手段１の芯１ａを埋没させた状態で机等の平面上に斜めに載置すると起き上がりこぼしと成って前後左右にユラユラ揺れて立設するものである。
【００１７】
　そして、本考案の起き上がりこぼし型筆記具で筆記する場合は、筆記部外装体３を手に持ってノック部外装体２を筆記部外装体３の方にノックすることにより、筆記部外装体３の下方に筆記手段１の芯１ａが突出するものであり、その状態で筆記するものである。
【００１８】
　更に、図３に図示する次実施例では、ノック部外装体２のみにキャラクターをデザインし、筆記部外装体３はキャラクターの台とした円柱状として起き上がりこぼし用の錘４を内装させ、起き上がりこぼしの機能を備えたもので、筆記部外装体３の外周下面は半円弧面状と成っており、この場合、筆記部外装体３の周方向のみに揺れて立設するものである。
【産業上の利用可能性】
【００１９】
　本考案の起き上がりこぼし型筆記具は、斬新なアイディアのキャラクターを形成できるとともに起き上がりこぼしとしてユラユラと揺れて立つユニークなマンネリ化した筆記具の中で人目を引く筆記具であり、販促商品等としても企業や商品のイメージ、広告等を表現させて提供できるものである。
【図面の簡単な説明】
【００２０】
【図１】図１は本考案の起き上がりこぼし型筆記具の実施例のシャープペンの芯を埋没させた状態の説明図である。
【図２】図２は本考案の起き上がりこぼし型筆記具の実施例のシャープペンの芯を突出させた状態の説明図である。
【図３】図３は本考案の起き上がりこぼし型筆記具の次実施例の説明図である。
【符号の説明】
【００２１】
　１　　　筆記手段
　１ａ　　芯
　１ｂ　　収容管
　１ｃ　　メカスリーブ
　１ｄ　　スライドパイプ
　１ｅ　　メカ機構
　２　　　ノック部外装体
　２ａ　　ノック部外装体ホルダー
　３　　　筆記部外装体
　３ａ　　筆記部外装体ホルダー
　３ｂ　　テーパーカバー
　４　　　起き上がりこぼし用の錘
【図１】
0003099463.tif 000003
【図２】
0003099463.tif 000004
【図３】
0003099463.tif 000005